(57)【要約】【課題】  ドレン水中の銀濃度を最適値に制御することにより、十分な抗菌効果が得られるようにする。【解決手段】  空気調和機におけるドレンパン８内に、ドレン水Ｄに対して静菌作用を発揮する銀ガラス系の抗菌剤１９，１９・・を有する抗菌剤ユニットＫを前記ドレン水Ｄに浸漬させた状態で配置するとともに、前記ドレン水Ｄ中の銀濃度が、該ドレン水Ｄの養分量を表す代表値である全有機炭素量をＴＯＣとした場合、必要銀濃度である０．４５×ＴＯＣ＋５．３ｐｐｂ以上となるように制御して、ドレン水Ｄ中における２４時間後の細菌数を３０個／ｃｃ以下とすることができ、十分な抗菌効果が得られるようにしている。【選択図】        図２
2008151414.tif 000002
【特許請求の範囲】
【請求項１】
熱交換器（６）、送風機（７）および前記熱交換器（６）からのドレン水（Ｄ）を受け止めるドレンパン（８）を備え、前記送風機（７）により空気吸込口（１１）から吸い込まれた空気を前記熱交換器（６）を通過させた後に空気吹出口（１３）から室内へ吹き出すように構成した空気調和機であって、前記ドレンパン（８）内には、前記ドレン水（Ｄ）に対して静菌作用を発揮する銀ガラス系の抗菌剤（１９），（１９）・・を有する抗菌剤ユニット（Ｋ）を前記ドレン水（Ｄ）に浸漬させた状態で配置するとともに、前記ドレン水（Ｄ）中の銀濃度が、該ドレン水（Ｄ）の養分量を表す代表値である全有機炭素量をＴＯＣとした場合、必要銀濃度である０．４５×ＴＯＣ＋５．３ｐｐｂ以上となるように制御したことを特徴とする空気調和機。
【請求項２】
前記ドレン水（Ｄ）１リットル当たりの溶解性銀ガラス浸漬量を、前記必要銀濃度／１０ｇ以上としたことを特徴とする請求項１記載の空気調和機。
【請求項３】
前記抗菌剤ユニット（Ｋ）を、多数の開口部（２１），（２１）・・を有する保持部材（２０）内に抗菌剤（１９），（１９）・・を保持して構成するとともに、前記抗菌剤ユニット（Ｋ）の浸漬量を可変としたことを特徴とする請求項１および２のいずれか一項記載の空気調和機。
【請求項４】
前記保持部材（２０）には、前記ドレン水（Ｄ）のＴＯＣ値に対応した浸漬目盛り（Ｓ）を表示したことを特徴とする請求項３記載の空気調和機。
【発明の詳細な説明】
【技術分野】
【０００１】
本願発明は、空気調和機に関し、さらに詳しくは、ドレン水中におけるスライム生成を効果的に抑制し得るように構成した空気調和機に関するものである。
【背景技術】
【０００２】
空気調和機におけるドレンパン中のドレン水で細菌が増殖し、この細菌の増殖が進むと、スライムが生成され、空気調和機の吹出口から異臭を放出するおそれがある。また、スライムが多量に生成されると、ドレンポンプやドレン配管を閉塞し、水漏れを発生させる原因となるという不具合が生ずるおそれがある。
【０００３】
上記不具合に対し、抗菌剤（例えば、銀ガラス）を用いて細菌の増殖やスライムの生成を防止したものが提案されている（特許文献１参照）。
【０００４】
【特許文献１】特開２００１−３４３１９６号公報。
【発明の開示】
【発明が解決しようとする課題】
【０００５】
一般に、細菌の増殖やスライムの生成には養分が必要であり、ドレン水の中にも環境から供給される養分が含まれている。この養分量は、代表値としてＴＯＣ（全有機炭素量）で表すと、通常のドレン水のＴＯＣは１００ｐｐｍ以下である。そこで、養分濃度と銀濃度とを変化させてドレン水中における２４時間後の細菌数を測定したところ、図６に示す結果が得られた。なお、ＴＯＣに代えてＤＯＣ、ＢＯＤ、ＣＯＤを用いる場合もある。
【０００６】
上記測定方法について以下に説明する。
（１）滅菌したビーカに２００ｃｃの水を入れ、
（２）さらに所定の濃度になるように市販の培地（例えば、ブドウ糖ペプトン）を養分として所定量加えて、ＴＯＣを測定する。
（３）さらに、銀ガラスを所定量入れる。
（４）スターラー（撹拌機）で撹拌しながら２５℃の室温で放置する。
（５）１２時間放置後のビーカ内の水をサンプリングし、細菌数と銀イオン濃度とを測定する。
（６）ＴＯＣを固定して銀ガラスの量を変化させ上記（１）〜（５）を繰返し実施し、細菌数が３０個／ｃｃ以下となる銀ガラス濃度を見つける。
（７）ＴＯＣを変化させて同様の試験を実施する。
【０００７】
図６において、必要銀濃度とは、細菌数が３０個／ｃｃ以下になる銀濃度を言う。これによれば、養分濃度（ＴＯＣ）が多いほど必要銀濃度が多くなることが分かった。つまり、ドレン水のＴＯＣ濃度に応じた銀濃度でないと抗菌効果が得られないことが分かったのである。図６における直線Ｌの式は、横軸（即ち、ＴＯＣ）をｘ、縦軸（即ち、必要銀濃度）をｙとすると、ｙ＝０．４４８４ｘ＋５．３１４５で表される。
【０００８】
本願発明は、上記の点に鑑みてなされたもので、ドレン水中の銀濃度を最適値に制御することにより、十分な抗菌効果が得られるようにすることを目的としている。
【課題を解決するための手段】
【０００９】
本願発明では、上記課題を解決するための第１の手段として、熱交換器６、送風機７および前記熱交換器６からのドレン水Ｄを受け止めるドレンパン８を備え、前記送風機７により空気吸込口１１から吸い込まれた空気を前記熱交換器６を通過させた後に空気吹出口１３から室内へ吹き出すように構成した空気調和機において、前記ドレンパン８内に、前記ドレン水Ｄに対して静菌作用を発揮する銀ガラス系の抗菌剤１９，１９・・を有する抗菌剤ユニットＫを前記ドレン水Ｄに浸漬させた状態で配置するとともに、前記ドレン水Ｄ中の銀濃度が、該ドレン水Ｄの養分量を表す代表値である全有機炭素量をＴＯＣとした場合、必要銀濃度である０．４５×ＴＯＣ＋５．３ｐｐｂ以上となるように制御している。なお、ＴＯＣに代えてＤＯＣ、ＢＯＤ、ＣＯＤを用いる場合もある。
【００１０】
上記のように構成したことにより、ドレン水Ｄ中の銀濃度が、必要銀濃度（即ち、２４時間後における細菌数が３０個／ｃｃ以下になる銀濃度）以上に制御されるところから、十分な抗菌効果が得られる。
【００１１】
本願発明では、さらに、上記課題を解決するための第２の手段として、上記第１の手段を備えた空気調和機において、前記ドレン水Ｄ１リットル当たりの溶解性銀ガラス浸漬量を、前記必要銀濃度／１０ｇ以上とすることもでき、そのように構成した場合、必要銀濃度を常時確保できることとなり、抗菌効果を持続することができる。
【００１２】
本願発明では、さらに、上記課題を解決するための第３の手段として、上記第１又は第２の手段を備えた空気調和機において、前記抗菌剤ユニットＫを、多数の開口部２１，２１・・を有する保持部材２０内に抗菌剤１９，１９・・を保持して構成するとともに、前記抗菌剤ユニットＫの浸漬量を可変とすることもでき、そのように構成した場合、抗菌剤ユニットＫの浸漬量をドレンＤのＴＯＣ値に対応させて適宜変化させることが可能となり、抗菌効果をより効果的に持続することができる。
【００１３】
本願発明では、さらに、上記課題を解決するための第４の手段として、上記第３の手段を備えた空気調和機において、前記保持部材２０に、前記ドレン水ＤのＴＯＣ値に対応した浸漬目盛りＳを表示することもでき、そのように構成した場合、ドレン水ＤのＴＯＣ値に対応した浸漬目盛りＳを目印として抗菌剤ユニットＫの浸漬量を容易に設定することができる。
【発明の効果】
【００１４】
本願発明の第１の手段によれば、熱交換器６、送風機７および前記熱交換器６からのドレン水Ｄを受け止めるドレンパン８を備え、前記送風機７により空気吸込口１１から吸い込まれた空気を前記熱交換器６を通過させた後に空気吹出口１３から室内へ吹き出すように構成した空気調和機において、前記ドレンパン８内に、前記ドレン水Ｄに対して静菌作用を発揮する銀ガラス系の抗菌剤１９，１９・・を有する抗菌剤ユニットＫを前記ドレン水Ｄに浸漬させた状態で配置するとともに、前記ドレン水Ｄ中の銀濃度が、該ドレン水Ｄの養分量を表す代表値である全有機炭素量をＴＯＣとした場合、必要銀濃度である０．４５×ＴＯＣ＋５．３ｐｐｂ以上となるように制御したので、ドレン水Ｄ中における２４時間後の細菌数を３０個／ｃｃ以下とすることができ、十分な抗菌効果が得られるという効果がある。
【００１５】
本願発明の第２の手段におけるように、上記第１の手段を備えた空気調和機において、前記ドレン水Ｄ１リットル当たりの溶解性銀ガラス浸漬量を、前記必要銀濃度／１０ｇ以上とすることもでき、そのように構成した場合、必要銀濃度を常時確保できることとなり、抗菌効果を持続することができる。
【００１６】
本願発明の第３の手段におけるように、上記第１又は第２の手段を備えた空気調和機において、前記抗菌剤ユニットＫを、多数の開口部２１，２１・・を有する保持部材２０内に抗菌剤１９，１９・・を保持して構成するとともに、前記抗菌剤ユニットＫの浸漬量を可変とすることもでき、そのように構成した場合、抗菌剤ユニットＫの浸漬量をドレンＤのＴＯＣ値に対応させて適宜変化させることが可能となり、抗菌効果をより効果的に持続することができる。
【００１７】
本願発明の第４の手段におけるように、上記第３の手段を備えた空気調和機において、前記保持部材２０に、前記ドレン水ＤのＴＯＣ値に対応した浸漬目盛りＳを表示することもでき、そのように構成した場合、ドレン水ＤのＴＯＣ値に対応した浸漬目盛りＳを目印として抗菌剤ユニットＫの浸漬量を容易に設定することができる。
【発明を実施するための最良の形態】
【００１８】
以下、添付の図面を参照して、本願発明を幾つかの好適な実施の形態について説明する。
【００１９】
本実施の形態にかかる空気調和機は、天井埋込式空気調和機用室内機とされており、図１に示すように、天井Ｆに形成された矩形形状の開口１の上方に位置して天井裏の棟木（図示省略）に対して吊りボルト（図示省略）を介して吊り下げ支持された空気調和機本体３と、前記開口１を覆う化粧パネル４とによって構成されている。
【００２０】
前記空気調和機本体１は、略直方体形状のケーシング５内に略環状の熱交換器６および該熱交換器６内に位置する送風機７を配設するとともに、前記熱交換器６の下方には、該熱交換器６から落下するドレン水Ｄを受け止めるドレン収容部となるドレンパン８が配設されている。符号９はベルマウス、１０は空気通路である。
【００２１】
前記化粧パネル４は、前記開口１を覆うに足る大きさを有する矩形形状とされており、その中央部には、空気吸込口１１が形成され、該空気吸込口１１の回りには、前記空気通路１０とそれぞれ連通する４個の空気吹出口１３が形成されている。
【００２２】
前記熱交換器６は、開放部を有する略環状とされており、例えばクロスフィンコイルタイプの熱交換器とされている。
【００２３】
前記ドレンパン８は、前記熱交換器６の形状と対応するように、開放部を有する略環状とされており、断面Ｕ字状とされている。
【００２４】
図２および図３には、本願発明の実施の形態にかかる空気調和機の要部が示されている。
【００２５】
この場合、図２に示すように、前記ドレンパン８内には、ドレン水Ｄに対して静菌作用を発揮する銀ガラス系の抗菌剤１９，１９・・を有する抗菌剤ユニットＫが熱交換器６と内周壁（即ち、吸込口側周壁）８ａとの間に位置して配置されており、該抗菌剤ユニットＫの支持部材１４は、前記ドレンパン８の内周壁（即ち、吸込口側周壁）８ａの上方を経て前記ベルマウス９方向に延び、その内端部１４ａは、前記ベルマウス９の内周上端に形成された鍔部９ａに対してビス１５により着脱可能に取り付けられている。そして、前記ベルマウス９と前記ドレンパン８との間には、作業用開口１６が形成されており、該作業用開口１６は、着脱自在な蓋板１７により覆蓋されている。
【００２６】
上記のように構成したことにより、ドレンパン８内にドレン水Ｄが存在しているときには、抗菌剤ユニットＫに含まれる抗菌剤１９，１９・・の静菌作用によってドレン水Ｄにおける細菌増殖が抑制されることとなり、ドレンパン８内におけるスライムの増殖を防止できる。
【００２７】
ところで、本実施の形態においては、前記ドレンパン８内には、ドレン水Ｄに対して静菌作用を発揮する銀ガラス系の抗菌剤１９，１９・・を有する抗菌剤ユニットＫがドレン水Ｄに浸漬させた状態で配置されており、前記ドレン水Ｄ中の銀濃度は、該ドレン水Ｄの養分量を表す代表値である全有機炭素量をＴＯＣとした場合、必要銀濃度（即ち、２４時間後における細菌数が３０個／ｃｃ以下になる銀濃度）である０．４５×ＴＯＣ＋５．３ｐｐｂ以上となるように制御されている（図６参照）。
【００２８】
上記のように構成したことにより、ドレン水Ｄ中の銀濃度が、必要銀濃度（即ち、２４時間後における細菌数が３０個／ｃｃ以下になる銀濃度）以上に制御されるところから、十分な抗菌効果が得られる。
【００２９】
また、ドレン水１リットル当たりの溶解性銀ガラス浸漬量は、前記必要銀濃度／１０ｇ以上とするのが望ましく、このようにすると、必要銀濃度を常時確保できることとなり、抗菌効果を持続することができる。
【００３０】
本実施の形態の場合、前記抗菌剤ユニットＫは、図３および図４に示すように、多数の開口部２１，２１・・を有する保持部材２０内に抗菌剤１９，１９・・を保持して構成されており、前記支持部材１４（例えば、ステー）に対してビス２２により固定されている。この場合、ビス２２の固定位置を変更することにより、抗菌剤ユニットＫの浸漬量が可変となるように構成されている。つまり、ドレン水Ｄ中の銀濃度は、抗菌剤である銀ガラスの浸漬量に比例するところから、据え付けされた場所のドレン水ＤのＴＯＣを測定することにより、抗菌剤ユニットＫの浸漬量を決定し、ビス２２を測定したＴＯＣに応じて決められた浸漬量が確保できる位置で固定すればよいのである。また、本実施の形態の場合、抗菌効果を長期間発揮させるために、抗菌剤１９，１９・・の一部（即ち、上方部分）は、ドレン水Ｄに浸漬されない構造となっており、溶出して減少した量のみがドレン水Ｄの浸漬領域へ供給されるようになっている。
【００３１】
ところで、本実施の形態においては、図５に示すように、前記保持部材２０には、前記ドレン水ＤのＢＯＤ値に対応した浸漬目盛りＳを表示することもできる。このようにすると、ドレン水ＤのＢＯＤ値に対応した浸漬目盛りＳを目印として抗菌剤ユニットＫの浸漬量を容易に設定することができる。
【００３２】
上記実施の形態においては四方吹出タイプの天井埋込式空気調和機について説明したが、本願発明は、二方吹出タイプあるいは一方吹出タイプの天井埋込式空気調和機にも適用可能なことは勿論である。
【００３３】
また、本願発明は、上記実施の形態に限定されるものではなく、発明の要旨を逸脱しない範囲において適宜設計変更可能なことは勿論である。
【図面の簡単な説明】
【００３４】
【図１】本願発明の実施の形態にかかる空気調和機の縦断面図である。
【図２】本願発明の実施の形態にかかる空気調和機の要部拡大断面図である。
【図３】本願発明の実施の形態にかかる空気調和機におけるドレンパンの正面図である。
【図４】本願発明の実施の形態にかかる空気調和機におけるドレンパン側面図である。
【図５】本願発明の実施の形態にかかる空気調和機において使用される抗菌剤ユニットの拡大正面図である。
【図６】ドレン水中の養分濃度（全有機炭素量）ＴＯＣとドレン水中の銀濃度とを変化させたときの２４時間後に細菌数が３個／ｃｃ以下となる銀濃度（即ち、必要銀濃度）の変化を示す特性図である。
【符号の説明】
【００３５】
６は熱交換器
７は送風機
８はドレンパン
１１は空気吸込口
１３は空気吹出口
２０は保持部材
２１は開口部
Ｄはドレン水
Ｋは抗菌剤ユニット
Ｓは浸漬目盛り
【図１】
2008151414.tif 000003
【図２】
2008151414.tif 000004
【図３】
2008151414.tif 000005
【図４】
2008151414.tif 000006
【図５】
2008151414.tif 000007
【図６】
2008151414.tif 000008